(57)【特許請求の範囲】
【請求項１】
地盤内にケーシングを挿入し、ケーシング内を中空にして地盤浄化材投入用の投入孔を形成する第１のステップ、
中空の缶本体と、前記缶本体に対して開閉自在に装着された下蓋と、から構成され、前記缶本体に第１の吊ワイヤが取り付けられ、前記下蓋に第２の吊ワイヤが取り付けられている投入缶に地盤浄化材を詰め、前記第１の吊ワイヤと前記第２の吊ワイヤを重機の有する別途の吊フックにそれぞれ掛け、前記第２の吊ワイヤのみで前記投入缶を吊った状態で前記投入缶を前記投入孔に吊り下し、前記第１の吊ワイヤにも前記投入缶を吊らせた状態とした後に前記第２の吊ワイヤによる前記投入缶の吊り状態を解除して前記下蓋を開き、前記地盤浄化材を前記投入孔に落とし込み、前記第１の吊ワイヤにて前記投入缶を前記投入孔の上方に吊り上げ、前記第１の吊ワイヤによる吊り状態を解除して前記第２の吊ワイヤのみで前記投入缶を吊った状態として前記投入缶に前記地盤浄化材を詰める第２のステップ、
前記第２のステップを繰り返して前記投入孔に前記地盤浄化材を充填し、前記ケーシングを引き抜いて地盤浄化壁を造成する第３のステップからなり、
前記下蓋は前記缶本体の下端に開閉自在に装着された二つの分割蓋を有し、
前記分割蓋は前記缶本体の下端に対して蝶番部を介して装着され、閉じた状態から、下方へ観音開き姿勢で開いた状態へ、さらに閉じた状態へと状態変化が可能となっており、
前記缶本体の内部の中空に臨む内面には前記第２の吊ワイヤを案内する案内ピンが取り付けられ、前記缶本体の外面には前記第１の吊ワイヤを引掛ける第１の吊ピンが取り付けられており、
二つの前記分割蓋の備えるそれぞれの第２の吊ピンに前記第２の吊ワイヤを引掛け、それぞれの前記第２の吊ワイヤを前記案内ピンに通した後に前記投入缶の上方でそれらを１箇所に纏めて前記重機の具備する親吊ワイヤフックに引掛け、
前記缶本体の外面の２つの前記第１の吊ピンにそれぞれ前記第１の吊ワイヤを引掛け、前記投入缶の上方でそれらを１箇所に纏めて前記重機の具備する子吊ワイヤフックに引掛けて使用する、地盤浄化壁の造成方法。
【請求項２】
前記第２のステップを繰り返して地盤浄化壁用の地盤浄化杭を造成し、前記地盤浄化杭を順次併設して地盤内に面的に広がる前記地盤浄化壁を造成する、請求項１に記載の地盤浄化壁の造成方法。
【請求項３】
前記地盤浄化材が、比重の異なる複数の材料の混合材である、請求項１または２に記載の地盤浄化壁の造成方法。
【請求項４】
比重の異なる複数の材料の混合材からなる地盤浄化材をケーシング内に設置する投入缶であり、前記投入缶は、上方が開放された中空の缶本体と、前記缶本体に対して開閉自在に装着された下蓋を備え、前記缶本体に第１の吊ワイヤが取り付けられ、下蓋に第２の吊ワイヤが取り付けられて使用される投入缶であって、
前記下蓋は前記缶本体の下端に開閉自在に装着された二つの分割蓋を有し、
前記分割蓋は前記缶本体の下端に対して蝶番部を介して装着され、閉じた状態から、下方へ観音開き姿勢で開いた状態へ、さらに閉じた状態へと状態変化が可能となっており、
前記缶本体の内部の中空に臨む内面には前記第２の吊ワイヤを案内する案内ピンが取り付けられ、前記缶本体の外面には前記第１の吊ワイヤを引掛ける第１の吊ピンが取り付けられており、
二つの前記分割蓋の備えるそれぞれの第２の吊ピンに前記第２の吊ワイヤが引掛けられ、それぞれの前記第２の吊ワイヤが前記案内ピンに通された後に前記投入缶の上方でそれらが１箇所に纏められて重機の具備する親吊ワイヤフックに引掛けられ、
前記缶本体の外面の２つの前記第１の吊ピンにそれぞれ前記第１の吊ワイヤが引掛けられ、前記投入缶の上方でそれらが１箇所に纏められて前記重機の具備する子吊ワイヤフックに引掛けられて使用される、投入缶。
【発明の詳細な説明】
【技術分野】
【０００１】
本発明は、地盤浄化壁の造成方法と、この造成方法で適用され、地盤浄化材を収容してケーシング内に投入する投入缶に関するものである。
【背景技術】
【０００２】
各種化学工場跡地や薬品工場跡地、部品工場、金属精錬工場、めっき工場等の跡地などにおいては、汚染された地下水を浄化するための地盤浄化壁が施工されている。
【０００３】
この地盤浄化壁の施工方法に関する公開技術として特許文献１，２に開示の施工方法を挙げることができる。特許文献１に開示の地下浄化壁の施工法は、切削孔を穿孔し、その切削孔にモニターを挿入して地盤を切削攪拌し、さらに浄化材を混ぜた水溶液を噴射して浄化壁部分を造成し、これらの工程を順次繰り返して造成した浄化壁部分を連続させて透水性の浄化壁を造成するものである。
【０００４】
この施工法によれば、地盤中に造成されて汚染地下水を自然浄化する地下浄化壁の施工に当たり、切削や除去といった処理工数を少なくすることができるとしている。しかしながら、このように地盤を切削攪拌しながら浄化壁を造成することから、造成された浄化壁の形状寸法の信頼性は極めて低くならざるを得ない。また、浄化壁の造成に使用される浄化材には液状のものが必須となり、使用可能な浄化材に制約があるといった課題も有している。
【０００５】
そこで、浄化壁の形状寸法の信頼性を高めることのできる浄化壁の造成方法として、特許文献２に開示の技術が挙げられる。ここで開示される浄化壁の造成方法は、地盤にケーシングを挿入してその内部に地中孔を形成し、先端が漏斗状に広がる筒状部材の内部において錐体をなす複数のブレードで構成された刀錐体が取り付けられてなる開袋装置をケーシングの開口部に取り付け、鉄粉のような粉粒体が収容された袋体をフックなどから吊り下げて開口部上方から開袋装置内へ降下させ、袋体を開袋装置内側でブレードと接触させてその底面を放射状に切り開き、開袋して粉粒体を地中孔の下方へ落とし込む造成方法（ここでは、開袋装置を用いた粉粒体の地中への投入方法）が開示されている。
【０００６】
特許文献２で開示される造成方法によれば、ケーシングを使用して地中孔を形成し、この地中孔に鉄粉のような粉粒体を充填して浄化壁を造成することから、造成される浄化壁の形状寸法の信頼性を高めることはできる。
【０００７】
しかしながら、ケーシングの上端の開袋装置で袋体を開袋して鉄粉等の粉粒体を地中孔の下方へ落下させることから、浄化材が比重の異なる複数の材料の混合材から構成される場合においては、落下の過程で材料が分離してしまい、複数の材料が十分に混ざり合った状態の浄化材で浄化壁を造成することができず、この点で浄化壁の品質低下は避けられない。
【先行技術文献】
【特許文献】
【０００８】
【特許文献１】特開２００３−７４０４７号公報
【特許文献２】特開２００８−１９０１５２号公報
【発明の概要】
【発明が解決しようとする課題】
【０００９】
本発明は上記する問題に鑑みてなされたものであり、形状寸法の精度の高い地盤浄化壁を造成することができ、地盤浄化壁造成用の地盤浄化材が比重の異なる複数の材料の混合材から構成される場合であっても、材料分離の問題が生じ得ない地盤浄化壁の造成方法と、この造成方法で適用され、地盤浄化材を収容してケーシング内に投入する投入缶を提供することを目的とする。
【課題を解決するための手段】
【００１０】
前記目的を達成すべく、本発明による地盤浄化壁の造成方法は、地盤内にケーシングを挿入し、ケーシング内を中空にして地盤浄化材投入用の投入孔を形成する第１のステップ、中空の缶本体と、缶本体に対して開閉自在に装着された下蓋と、から構成され、缶本体に第１の吊ワイヤが取り付けられ、下蓋に第２の吊ワイヤが取り付けられている投入缶に地盤浄化材を詰め、第１の吊ワイヤと第２の吊ワイヤを重機の有する別途の吊フックにそれぞれ掛け、第２の吊ワイヤのみで投入缶を吊った状態で該投入缶を投入孔に吊り下し、第１の吊ワイヤにも投入缶を吊らせた状態とした後に第２の吊ワイヤによる投入缶の吊り状態を解除して下蓋を開き、地盤浄化材を投入孔に落とし込み、第１の吊ワイヤにて投入缶を投入孔の上方に吊り上げ、第１の吊ワイヤによる吊り状態を解除して第２の吊ワイヤのみで投入缶を吊った状態として投入缶に地盤浄化材を詰める第２のステップ、第２のステップを繰り返して投入孔に地盤浄化材を充填し、ケーシングを引き抜いて地盤浄化壁を造成する第３のステップからなるものである。
【００１１】
本発明の地盤浄化壁の造成方法は、ケーシングを使用して地盤浄化材投入用の投入孔を形成し、ここに地盤浄化材を投入して地盤浄化壁を造成することにより、形状寸法精度の高い地盤浄化壁の造成を可能としている。さらに、地盤浄化材を投入孔の上方から落下させる特許文献２に開示の方法とは異なり、投入孔の下方位置まで地盤浄化材を運んで地盤浄化材を投入することにより、地盤浄化材がたとえば比重の異なる複数の材料の混合材からなる場合でも、材料分離を起こすことなく、したがって複数の材料が十分に混合された地盤浄化材にて品質に優れた地盤浄化壁を造成することを可能としている。
【００１２】
投入孔の下方位置まで地盤浄化材を運んで地盤浄化材を投入することを実現する手段として、任意素材の投入缶を使用し、投入缶に地盤浄化材を詰めて吊ワイヤを介して重機にて吊持させ、投入孔の下方の所定位置まで吊ワイヤで降下させるものである。
【００１３】
ここで、投入缶の素材や形状、内空寸法は任意であり、使用するケーシングの内径に収まる寸法のものが適用できる。たとえば、形状の一例として、筒状の缶本体の下方に円盤状の下蓋が開閉自在に装着された形態、角柱状で中空の缶本体に当該缶本体の断面に相補的形状の角形の下蓋が開閉自在に装着された形態などを挙げることができる。また、投入缶の内空寸法は、一度に運ぶべき地盤浄化材の量や、投入缶の形成素材（鋼製、アルミ製といった金属製、FRP等を含む樹脂製、セラミックス製など）、使用重機の規模、投入孔の深さ等との関係から、一度に運ぶことのできる地盤浄化材の重量に応じて設定できる。さらに、缶本体の下方に開閉自在に装着される下蓋は、一枚の下蓋が一か所の蝶番構造を介して缶本体に装着されている形態や、下蓋を構成する二枚の分割蓋のそれぞれが蝶番構造を介して缶本体に装着され、双方の分割蓋が観音開きされる形態などを挙げることができる。
【００１４】
本発明の造成方法では、投入缶の缶本体と下蓋の双方に個別の吊ワイヤを取り付けておき、双方の吊ワイヤをたとえば一台の重機の親フック（親ワイヤフック）と子フック（子ワイヤフック）にそれぞれ吊らせたり、二台の重機のそれぞれの吊フックに双方の吊ワイヤを吊らせ、投入缶の位置に応じて投入缶を吊る吊ワイヤを好適に調整することにより（すなわち投入缶の荷重を負担する吊ワイヤを選定する）、投入孔への投入缶の吊り下しと、投入缶を吊った状態での下蓋の開閉、さらには投入缶を吊った状態での地盤浄化材の投入缶への提供を実現することができる。
【００１５】
具体的には、缶本体に第１の吊ワイヤを取り付け、下蓋に第２の吊ワイヤを取り付けておき、第１の吊ワイヤと第２の吊ワイヤを重機の有する別途の吊フック（ワイヤフック）にそれぞれ掛けておく。
【００１６】
投入缶の吊り下しの際には、第２の吊ワイヤのみで投入缶を吊った状態で投入缶を投入孔の下方に吊り下す。
【００１７】
次に、投入孔の下方の所定位置で投入缶を停止させ、投入缶の荷重負担を第２の吊ワイヤから第１の吊ワイヤへ移行させるべく、第１の吊ワイヤでも投入缶を吊った状態とする。この状態で第２の吊ワイヤによる投入缶の吊り状態を解除することにより、下蓋が自動的に開いて地盤浄化材が投入孔に落とし込まれる。この地盤浄化材の落とし込みの位置は、投入孔のたとえば下端から1〜数m（たとえば投入缶の長さ程度）の位置に調整される。
【００１８】
下蓋の自動開放によって地盤浄化材が落とし込まれたら、第１の吊ワイヤにて投入缶を吊った状態のまま投入孔の上方に空の投入缶を吊り上げる。次に、第１の吊ワイヤによる吊り状態を解除して第２の吊ワイヤのみで投入缶を吊った状態とすることで下蓋を再度閉じ、投入缶に地盤浄化材を詰める（以上、第２のステップ）。
【００１９】
一つの投入孔に対して第２のステップを複数回繰り返すことにより、投入孔が地盤浄化材で満たされて地盤浄化壁が造成される（第３のステップ）。
【００２０】
なお、ここで造成される地盤浄化壁は、ケーシングの長さおよび径によって形状および寸法が規定される地盤浄化杭である。
【００２１】
そこで、地盤内に平面状の地盤浄化壁を造成する場合は、第２のステップを繰り返して地盤浄化壁用の地盤浄化杭を造成し、地盤浄化杭を順次併設して地盤内に面的に広がる地盤浄化壁を造成する方法が適用できる。
【００２２】
また、第１のステップにおいては、投入缶の開口にホッパーを載置し、ホッパーを介して投入缶に地盤浄化材を詰めてもよい。さらに、第２のステップにおける再度の地盤浄化材の投入缶への提供作業においても、吊られた状態の投入缶にホッパーを載置し、ホッパーを介して投入缶に地盤浄化材を詰めることもできる。
【００２３】
なお、本発明の造成方法で使用される地盤浄化材が、既述するように比重の異なる複数の材料の混合材からなる場合は、材料分離することなく投入孔に落とし込めることから、本発明の造成方法にとって好適な材料と言える。ここで、混合材の構成素材としては、活性炭や鉄粉、地下水の流動を確保するための砕石などを挙げることができる。活性炭や鉄粉のみの単一素材の地盤浄化材を使用して地盤浄化壁を造成してもよいことは勿論のことである。
【００２４】
また、本発明は前記地盤浄化壁の造成方法で適用される投入缶にも及ぶものであり、この投入缶は、比重の異なる複数の材料の混合材からなる地盤浄化材をケーシング内に設置する投入缶であって、前記投入缶は、上方が開放された中空の缶本体と、該缶本体に対して開閉自在に装着された下蓋を備え、前記缶本体には吊ワイヤの取付部が設けられ、前記下蓋には該下蓋を開閉するための別途の吊ワイヤの取付部が設けられているものである。
【００２５】
本発明の投入缶を適用して前記造成方法を実施することにより、投入孔の下方位置まで比重の異なる複数の材料の混合材からなる地盤浄化材を運んで地盤浄化材を投入することが可能となり、材料分離を起こすことなく、したがって複数の材料が十分に混合された地盤浄化材にて品質に優れた地盤浄化壁を造成することが可能になる。
【発明の効果】
【００２６】
以上の説明から理解できるように、本発明の地盤浄化壁の造成方法によれば、ケーシングを使用して地盤浄化材投入用の投入孔を形成し、ここに地盤浄化材を投入して地盤浄化壁を造成することにより、形状寸法精度の高い地盤浄化壁を造成することができる。さらに、投入孔の下方位置まで地盤浄化材を運んで地盤浄化材を投入することにより、地盤浄化材がたとえば比重の異なる複数の材料の混合材からなる場合であっても、材料分離を起こすことなく、したがって複数の材料が十分に混合された地盤浄化材にて品質に優れた地盤浄化壁を造成することができる。
【図面の簡単な説明】
【００２７】
【図１】本発明の地盤浄化壁の造成方法で適用する本発明の投入缶を斜め下方から見た斜視図である。
【図２】投入缶に地盤浄化材を詰めている状況を説明した図である。
【図３】本発明の地盤浄化壁の造成方法の第１のステップと第２のステップを説明した模式図である。
【図４】図３に続いて第２のステップを説明した模式図である。
【図５】図４に続いて第２のステップを説明した模式図である。
【図６】造成方法の第３のステップを説明した模式図である。
【図７】図６に続いて第３のステップを説明した模式図であって、造成される地盤浄化壁（地盤浄化杭）を説明した模式図である。
【図８】地盤浄化杭が併設されてなる地盤浄化壁を説明した模式図である。
【発明を実施するための形態】
【００２８】
以下、図面を参照して本発明の地盤浄化壁の造成方法の実施の形態とこの造成方法で適用する本発明の投入缶の実施の形態を説明する。なお、投入缶の形状および構造は図示例のものに限定されるものではなく、角柱状の缶本体に対し、たとえば一枚の下蓋が開閉自在に装着された構成の投入缶等であってもよい。
【００２９】
図１は本発明の地盤浄化壁の造成方法で適用する本発明の投入缶を斜め下方から見た斜視図であり、図２は投入缶に地盤浄化材を詰めている状況を説明した図である。また、図３は本発明の地盤浄化壁の造成方法の第１のステップと第２のステップを説明した模式図であり、図４，５も図３に続いて第２のステップを説明した模式図であり、図６，７はこの順に第３のステップを説明した模式図である。
【００３０】
（投入缶について）
図１で示すように、本発明の地盤浄化壁の造成方法で適用する本発明の投入缶１０は、鋼製で筒状の缶本体１と、缶本体１の下端に開閉自在に装着された二つの分割蓋２ａ，２ｂからなる下蓋２と、から大略構成されている。なお、このような投入缶１０は、「バタフライ缶」と称することもできる。
【００３１】
分割蓋２ａ、２ｂは缶本体１の下端に対して蝶番部２ｄを介して装着されており、図１で示す閉じた状態から、下方へ観音開き姿勢で開いた状態（Ｙ方向）へ、さらに閉じた状態へと状態変化が可能となっている。
【００３２】
缶本体１の内部は中空１ａとなっており、中空１ａに臨む内面には第２の吊ワイヤ３を案内する案内ピン１ｂが取り付けられ、缶本体１の外面には第１の吊ワイヤ４を引掛ける吊ピン１ｃが取り付けられている。
【００３３】
下蓋２を構成する分割蓋２ａ，２ｂにはそれぞれ、第２の吊ワイヤ３を引掛ける吊ピン２ｃが取り付けられている。
【００３４】
分割蓋２ａ，２ｂそれぞれの吊ピン２ｃに第２の吊ワイヤ３を引掛け、それぞれの第２の吊ワイヤ３を案内ピン１ｂに通した後、投入缶１０の上方でそれらを１箇所に纏め、これを不図示の重機の具備する親吊ワイヤフック５に引掛ける。一方、缶本体１の外面の２つの吊ピン１ｃにそれぞれ第１の吊ワイヤ４を引掛け、同様に投入缶１０の上方でそれらを１箇所に纏め、これを不図示の重機の具備する子吊ワイヤフック６に引掛ける。
【００３５】
親吊ワイヤフック５にて第２の吊ワイヤ３を吊る操作と、子吊ワイヤフック６にて第１の吊ワイヤ４を吊る操作を適宜調整することにより、下蓋２を閉じた状態で投入缶１０を投入孔２０ａの下方へ吊り下げたり、投入孔２０ａの下方で分割蓋２ａ、２ｂを開いたり、下蓋２を閉じた状態で投入缶１０に対して投入孔２０ａの上方で地盤浄化材を投入するといった施工を実施できる。なお、一台の重機の具備する親吊ワイヤフック５と子吊ワイヤフック６を使用する形態のほかにも、二台の重機を使用して各重機の吊ワイヤフックに第１、第２の吊ワイヤ３，４を吊らせる形態であってもよい。
【００３６】
投入缶１０の実施例としては、缶本体１の高さが2m程度、下蓋２の直径が0.7m程度で下蓋２が観音開きする形態を挙げることができる。
【００３７】
次に、図１で示す投入缶１０に地盤浄化材を詰め、地盤内に地盤浄化杭や複数の地盤浄化杭から構成される地盤浄化壁を造成する方法を説明する。
【００３８】
（地盤浄化壁の造成方法）
図２で示すように、地上に投入缶１０を置き、投入缶１０の上にホッパー７を載せる。
使用する地盤浄化材Ｍは、活性炭や鉄粉、地下水の流動を確保するための砕石が混ざり合った混合材から構成されており、この地盤浄化材Ｍが袋詰めされた状態で現場に搬送されてくる。このように、使用する地盤浄化材を構成する複数の材料は比重が相互に異なる材料である。
【００３９】
この地盤浄化材Ｍがトンパック詰めされた袋Ｂを不図示の重機で吊り、ホッパー７内へ落とし込むことにより、中央にある先鋭な錐体で袋Ｂが破られ、中の地盤浄化材Ｍを投入缶１０に詰めることができる。
【００４０】
次に、図３で示すように、不図示の全旋回掘削機等を使用して、地盤Ｇに対して所定の深度まで掘削しながらケーシング２０を設置することにより、ケーシング２０の設置と同時にケーシング２０内に投入孔２０ａが形成される（以上、造成方法の第１のステップ）。
【００４１】
次に、下蓋２に繋がっている第１の吊ワイヤ３を吊っている親吊ワイヤフック５のみで地盤浄化材Ｍが詰められた投入缶１０を吊り（親吊ワイヤフック５には投入缶１０と地盤浄化材Ｍの総荷重Ｐによる張力が作用している）、投入缶１０を投入孔２０ａの下方の所定深度まで吊り下げる（Ｘ１方向）。ここで、この「所定深度」とは、相互に比重の異なる複数の材料の混合材からなる地盤浄化材を落とし込んだ際に材料分離が生じない深度のことを意味しており、たとえば投入孔２０ａの下端から投入缶１０の高さ程度上方の位置を所定深度とすることができる。
【００４２】
このように下蓋２を構成する２つの分割蓋２ａ、２ｂを吊っている第２の吊ワイヤ３をさらに吊っている親吊ワイヤフック５のみで投入缶１０の荷重を支持していることから、投入缶１０を投入孔２０ａの所定深度まで吊り下げる過程で２つの分割蓋２ａ、２ｂの閉じ姿勢が保持される。
【００４３】
次に、図４で示すように、投入缶１０を親吊ワイヤフック５のみならず子吊ワイヤフック６でも吊った状態とし（たとえば双方のワイヤフック５，６で投入缶１０の荷重を二分する）、親吊ワイヤフック５の吊り状態を解除することにより、投入缶１０は子吊ワイヤフック６にて吊り状態が保持されながら（投入缶１０のみの荷重Ｐ’による張力が作用している）、２つの分割蓋２ａ、２ｂは下方へ開き（Ｙ方向）、投入缶１０内の地盤浄化材Ｍを投入孔２０ａの下方へ落とし込むことができる（Ｘ２方向）。
【００４４】
投入缶１０から地盤浄化材Ｍを落とし込んだら、次に、図５で示すように、空の投入缶１０をケーシング２０の上方付近まで吊り上げて位置決めし、第１の吊ワイヤ４による吊り状態を解除して第２の吊ワイヤ３のみで投入缶１０を吊った状態とし、２つの分割蓋２ａ、２ｂを再度閉じた状態として地盤浄化材Ｍを投入缶１０に詰める（親吊ワイヤフック５には投入缶１０と地盤浄化材Ｍの総荷重Ｐによる張力が作用している）。なお、空の投入缶１０に地盤浄化材Ｍを投入する際には、図２で示すホッパー７を吊られた状態の投入缶１０に載置し、ホッパー７を介して地盤浄化材Ｍを投入後、ホッパー７を投入缶１０から取り外して投入缶１０の吊り下しをおこなってもよい。
【００４５】
以上、図３〜図５までの施工を繰り返すことにより、図６で示すように投入孔２０ａの上方まで地盤浄化材Ｍが充填される。
【００４６】
投入孔２０ａが地盤浄化材Ｍで完全に閉塞された後、ケーシング２０を引き抜くことにより、図７で示すような地盤浄化杭１００が地盤Ｇ内に造成される。
【００４７】
図７で示す一つの地盤浄化杭１００のみから構成される地盤浄化壁であってもよいが、図８で示すように、地盤浄化杭１００を地盤Ｇ内で併設施工することにより、地盤Ｇ内に面的に広がる地盤浄化壁２００を造成することもできる。
【００４８】
図示する地盤浄化壁１００（２００）の造成方法によれば、ケーシング２０を使用して地盤浄化材Ｍ投入用の投入孔２０ａを形成し、ここに地盤浄化材Ｍを投入して地盤浄化壁１００（２００）を造成することにより、形状寸法精度の高い地盤浄化壁１００（２００）の造成が可能になる。
【００４９】
さらに、地盤浄化材Ｍを投入孔２０ａの上方から落下させる方法ではなく、投入孔２０ａの下方位置まで地盤浄化材Ｍを運んだ後に投入することから、地盤浄化材Ｍが比重の異なる複数の材料の混合材からなる場合であっても、材料分離を起こすことなく、したがって複数の材料が十分に混合された地盤浄化材Ｍにて品質に優れた地盤浄化壁１００（２００）を造成することが可能になる。
【００５０】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００５１】
１…缶本体、１ａ…中空、１ｂ…案内ピン、１ｃ…吊ピン、２…下蓋、２ａ、２ｂ…分割蓋、２ｃ…吊ピン、３…第２の吊ワイヤ、４…第１の吊ワイヤ、５…親吊ワイヤフック、６…子吊ワイヤフック、７…ホッパー，７ａ…開袋部、１０…投入缶、２０…ケーシング、２０ａ…投入孔、１００…地盤浄化杭（地盤浄化壁）、２００…地盤浄化壁、Ｍ…地盤浄化材
【図１】
0006456659.tif 000002
【図２】
0006456659.tif 000003
【図３】
0006456659.tif 000004
【図４】
0006456659.tif 000005
【図５】
0006456659.tif 000006
【図６】
0006456659.tif 000007
【図７】
0006456659.tif 000008
【図８】
0006456659.tif 000009